(57)【要約】      （修正有）【課題】多数の皺による生々しい外観を表出させた表現力に富む装飾体を提供する。【解決手段】球形の装飾体を、内部の発砲スチロールから成る球形の芯体と、芯体の球表面に装着した多数のレース製装飾部材から構成する。レース製装飾部材は、花形模様が横に繰り返されたケミカルレースを図形単位で切断した小片３ａや、複数の小片３ａを横にずらしながら重ねて装着した積層装飾部材３ｅから成る。芯体Ａの外表面Ａ１に１つの小片３ａを接着剤により装着する。積層装飾部材３ｅの側縁部を芯体に装着した小片３ａを囲むようにして、外周縁部に重ね合わせながら接着剤により球表面に装着する。同様の作業を繰り返して、球表面を複数のレース製装飾部材により被覆し、外面に多数の皺または凹凸による生々しさを表出させる。【選択図】図５
0003202338.tif 000002
【実用新案登録請求の範囲】
【請求項１】
装飾体を構成する一部または全部のパーツが、
芯体と、
芯体の表面を被覆するようにして装着したレース製装飾部材により形成されていること、
を特徴とする装飾体。
【請求項２】
装飾体を構成する一部のパーツが、
芯体と、
芯体の表面を被覆するようにして装着したレース製装飾部材により形成されており、
装飾体を構成する他の一部のパーツが、
プリザーブド処理またはドライ処理された植物体、またはレース製装飾部材により形成されていること、
を特徴とする装飾体。
【請求項３】
装飾体は、羽根のパーツを有する昆虫のフィギュアであり、
頭部と胴体のパーツは、
芯体と、
芯体の表面を被覆するように装着したレース製装飾部材により形成されており、
羽根のパーツは、
プリザーブド処理またはドライ処理された植物の葉を素材として形成されていること、
を特徴とする請求項２記載の装飾体。
【請求項４】
レース製装飾部材は、レースの小片、または複数のレースの小片を横にずらしながら重ねて装着した積層装飾部材であること、
を特徴とする請求項１乃至３の内のいずれか一項記載の装飾体。
【請求項５】
レースの小片は、任意の図形が横又は縦横に繰り返されたレースから、図形を１つ以上含む大きさに切断して形成されていること、
を特徴とする請求項４記載の装飾体。
【請求項６】
レースの小片は、花の図形が横又は縦横に繰り返されたレースから、図形を１つ以上含む大きさに切断して形成されていること、
を特徴とする請求項４記載の装飾体。
【請求項７】
芯体の表面に複数のレース製装飾部材が横にずらしながら重ねて装着されていること、
を特徴とする請求項１乃至６の内のいずれか一項記載の装飾体。
【請求項８】
レース製装飾部材は、ケミカルレースを素材として形成されていること、
を特徴とする請求項１乃至７の内のいずれか一項記載の装飾体。
【請求項９】
芯体の材質は、プラスチック、木材、金属、粘土、ガラスの中から選択された一つであること、
を特徴とする請求項１乃至８の内のいずれか一項記載の装飾体。
【考案の詳細な説明】
【技術分野】
【０００１】
本考案は装飾体に係り、とくに動物や昆虫、植物、食べ物、建物、乗り物、空想物等を象った装飾体に関する。
【背景技術】
【０００２】
従来、動物や昆虫、植物、食べ物、建物、乗り物、空想物等を象った装飾体（一般にフィギュアと呼ばれる）は、装飾体を構成する各パーツがプラスチック、金属、磁器、ガラス、粘土等の材料を用いて形成されており、表面が比較的滑らかで生々しさの表現力が乏しかった。
【先行技術文献】
【特許文献】
【０００３】
【特許文献１】実用新案登録第３０６６６４７号公報
【特許文献２】実用新案登録第３０７３９５４号公報
【考案の概要】
【考案が解決しようとする課題】
【０００４】
本考案は上記した従来技術の問題に鑑みなされたもので、生々しい外観を生む装飾体を提供することを、その目的とする。
【課題を解決するための手段】
【０００５】
本考案の請求項１記載の装飾体では、装飾体を構成する一部または全部のパーツが、芯体と、芯体の表面を被覆するようにして装着したレース製装飾部材により形成されていること、を特徴としている。
本考案の請求項２記載の装飾体では、装飾体を構成する一部のパーツが、芯体と、芯体の表面を被覆するようにして装着したレース製装飾部材により形成されており、装飾体を構成する他の一部のパーツが、プリザーブド処理またはドライ処理された植物体、またはレース製装飾部材により形成されていること、を特徴としている。
本考案の請求項３記載の装飾体では、装飾体は、羽根のパーツを有する昆虫のフィギュアであり、頭部と胴体のパーツは、芯体と、芯体の表面を被覆するように装着したレース製装飾部材により形成されており、羽根のパーツは、プリザーブド処理またはドライ処理された植物の葉を素材として形成されていること、を特徴としている。
本考案の請求項４記載の装飾体では、レース製装飾部材は、レースの小片、または複数のレースの小片を横にずらしながら重ねて装着した積層装飾部材であること、を特徴としている。
本考案の請求項５記載の装飾体では、レースの小片は、任意の図形が横又は縦横に繰り返されたレースから、図形を１つ以上含む大きさに切断して形成されていること、を特徴としている。
本考案の請求項６記載の装飾体では、レースの小片は、花の図形が横又は縦横に繰り返されたレースから、図形を１つ以上含む大きさに切断して形成されていること、を特徴としている。
本考案の請求項７記載の装飾体では、芯体の表面に複数のレース製装飾部材が横にずらしながら重ねて装着されていること、を特徴としている。
本考案の請求項８記載の装飾体では、レース製装飾部材は、ケミカルレースを素材として形成されていること、を特徴としている。
本考案の請求項９記載の装飾体では、芯体の材質は、プラスチック、木材、金属、粘土、ガラスの中から選択された一つであること、を特徴としている。
【考案の効果】
【０００６】
本考案によれば、装飾体を構成する一部または全部のパーツを、芯体と、芯体の表面を被覆するようにして装着したレース製装飾部材により形成したことにより、装飾体の外観に多数の皺または多数の凹凸による生々しさを容易に表出させることかできる。
【図面の簡単な説明】
【０００７】
【図１】図１は本考案の第１実施例に係る球形の装飾体の外観斜視図である（実施例１）。
【図２】図２は球形の装飾体の外観を示す図面代用写真である。
【図３】図３はレース製装飾部材の製造方法の説明図である。
【図４】図４はレース製装飾部材の一例の外観を示す図面代用写真である。
【図５】図５は球形の装飾体の製造方法の原理説明図である。
【図６】図６は球形の装飾体の製造方法の原理説明図である。
【図７】図７は球形の装飾体の製造方法を示す図面代用写真である。
【図８】図８は球形の装飾体の製造方法を示す図面代用写真である。
【図９】図９は球形の装飾体の製造方法を示す図面代用写真である。
【図１０】図１０は球形の装飾体の製造方法を示す図面代用写真である。
【図１１】図１１は本考案の第２実施例に係るトンボの装飾体の外観斜視図である（実施例２）。
【図１２】図１２は図１１のトンボの装飾体の外観を示す図面代用写真である。
【図１３】図１３は図１１のトンボの装飾体の外観を示す図面代用写真である。
【図１４】頭部パーツの外観を示す図面代用写真である。
【図１５】胴部パーツの製造方法の説明図である。
【図１６】胴部パーツの製造方法を示す図面代用写真である。
【図１７】胴部パーツの製造方法を示す図面代用写真である。
【図１８】図１８はトンボの装飾体の製造方法の説明図である。
【考案を実施するための最良の形態】
【０００８】
以下、本考案の最良の形態を実施例に基づき説明する。
【実施例１】
【０００９】
図１と図２を参照して本考案の第１実施例を説明する。図１は本考案に係る球形の装飾体の外観斜視図、図２は球形の装飾体の外観を示す図面代用写真である。この球形の装飾体は全体を１つのパーツとすればボールのフィギュアとなり、大小二つの球形の装飾体を上下に重ねて接着すれば２つのパーツからなる雪だるまのフィギュアとなる。
図１、図２において、１は球状の装飾体であり、球形の発泡スチロールから成る内部の芯体２と、芯体２の表面全体を隙間無く被覆するように装着された種々の大きさの複数のレース製装飾部材３（レース製装飾部材３は、後述する小片３ａまたは積層装飾部材３ｂ、３ｃ・・を表す）から形成されている。
【００１０】
図３はレース製装飾部材３の製造方法の一例を示す説明図である。
図２（１）に示す如く、花びら図形が横に繰り返された細幅のケミカルレース４を用意し、図形単位でカットし、花びら１つ分ずつの多数の小片（カットレース素材）３ａを作成する（図７参照。なお、小片３ａも１つのレース製装飾部材３となる）。複数の小片３ａを約半分弱の大きさが重なるように横にずらしながら接着剤で接着し、長さが種々異なる複数のレース製装飾部材としての積層装飾部材３ｂ、３ｃ・・を作成する（図２（２）、図４、図８乃至図１０参照）。小片３ａ、積層装飾部材３ｂ、３ｃ、・・は外面に多数の凹凸や皺を有する。
【００１１】
図５と図６は球形の装飾体１の製造方法の原理説明図である。
仮に、図５（１）に示す如く芯体Ａが薄い円盤形であったとき、まず芯体Ａの表面Ａ１の真ん中に下面に接着剤を塗布した小片３ａを装着する。次に、下面に接着剤を塗布した例えば積層装飾部材３ｅを、先端側から小片３ａの外周に沿って、積層装飾部材３ｅの片側の側縁部が小片３ａの外周縁部に重なるようにして、表面Ａ１に接着する（図５（２）、（３）、図６（１）、（２）参照）。同様にして、下面に接着剤を塗布した積層装飾部材３ｎ（３ｎは、３ｂ、３ｃ、・・、の内の任意）を先端側から積層装飾部材３ｅの外周に沿って、積層装飾部材３ｎの片側の側縁部が積層装飾素材３ｅの外周縁部に重なるようにして表面Ａ１に接着する（図６（３）参照）。以下、同様の作業を繰り返すことにより、芯体Ａの表面Ａ１を、小片３ａや積層装飾部材３ｂ、３ｃ・・のレース製装飾部材３で被覆することで、外面に多数の皺や凹凸を現出させる。なお、レース製装飾部材３の貼着順序は、３ａ、３ｅ、・・に限定されないのは勿論である。
【００１２】
次に、図７乃至図１０を参照して球体の装飾体１の製造方法を説明する。図７乃至図１０は球形の装飾体１の製造方法を示す図面代用写真である。
球形の装飾体１の内部の芯体２は球表面２Ａを有しており、図５、図６の芯体Ａとは異なるが、レース装飾部材３による被覆方法は基本的に図５、図６と同様である。
芯体２の直径が約２乃至３ｃｍとし、図３（１）の花形の細幅のケミカルレース４が薄茶色で幅が１０ｍｍ程度として（なお、色は薄茶色に限定されない）、芯体２の球表面２Ａの一ヶ所に下面に接着剤を塗布した小片３ａを接着により装着する（図７参照）。次に、下面に接着剤を塗布した例えば積層装飾部材３ｄを、先端側から小片３ａの外周に沿って、積層装飾部材３ｄの片側の側縁部が小片３ａの外周縁に重なるようにして球表面２Ａに接着する（図８、図９参照）。同様にして、下面に接着剤を塗布した積層装飾部材３ｎ（３ｎは、３ｂ、３ｃ、・・、の内の任意のもの。球表面２Ａの残りの非貼着面積が少ない場合は３ａでも良い）を、先端側から積層装飾部材３ｄの外周に沿って、積層装飾部材３ｎの片側の側縁部が積層装飾部材３ｄの外周縁に重なるようにして球表面２Ａに接着する（図１０参照）。以下、同様の作業を繰り返すことにより、芯体２の球表面２Ａを、多数のレース製装飾部材３で隙間無く被覆することで、球形の装飾体１の外面に多数の皺や凹凸を現出させる（図１、図２参照）。なお、レース製装飾部材の貼着順序は、３ａ、３ｄ、・・に限定されないのは勿論である。
【００１３】
この実施例によれば、球形の装飾体１について、内部を球形の芯体２とし、芯体２の球表面２Ａを多数のレース製装飾部材３を横にずらして重ねな接着して隙間無く被覆するようにして形成したことにより、球形の装飾体１の外面に繊維の柔ら味と、多数の皺や凹凸による生々しさを併せ持った今までにない斬新な外観を表出することかできる。球形の装飾体１は全体を一つのパーツとすればボールのフィギュアとなり、また、大小２つのパーツとして、上下に重ねれば雪だるまのフィギュアとなる。
【００１４】
なお、上記した実施例では、花びら図形が横に繰り返された細幅のケミカルレース４を用いたが、他の図形模様、例えばハート形やビーズ玉が連なった如きの模様のケミカルレースを用いたり、図形模様が縦横に繰り返された中幅や広幅のケミカルレースを用いたり、更にはケミカルレース以外の種々のレースを用いても良い。また、レース製装飾部材の内の小片３ａは図形一つ単位でカットして作成したが、二つ単位、三つ単位でカットしたり、一つ半単位、二つ半単位でカットするなど、図形１つ分以上の大きさにカットしても良い。
また、多数の小片３ａをそのまま球表面２Ａを隙間無く被覆するように接着剤で装着しても良く、この場合、小片３ａ同士が横にすこしずつずらしながら重なるように装着しても良く、重ならないように装着しても良い。
また、芯体の材質は、発泡スチロールに限定されず、発泡スチロール以外の種々のプラスチック、木材、金属、粘土、ガラスなどから選択されたものであっても良い。また、複数材質を複合した芯体であっても良い。
【実施例２】
【００１５】
図１１乃至図１３を参照して本考案の第２実施例を説明する。図１１は本考案に係るトンボの装飾体の外観斜視図、図１２はトンボの装飾体の外観を示す図面代用写真、図１３はトンボの装飾体の角度を変えた外観を示す図面代用写真である。
図１１乃至図１３において、１０はトンボの装飾体であり、多数のパーツが接着等で組み合わせて構成されている。１１と１２は一対の頭部パーツであり、白色で略球状に形成されている。１３と１４は一対の黒色の硬質プラスチック製の目玉パーツであり、小径の硬質プラスチック製のビーズ玉からなり、頭部パーツ１１と１２の外面に接着により装着されている。１５は胴部パーツであり、紅色で棒状に形成されている。頭部パーツ１１と１２は胴部パーツ１５の前端近くの上側に左右対称かつ互いに接するように接着されている。頭部パーツ１１と１２、胴部パーツ１５は後述するように、芯体の表面を被覆するようにレース製装飾部材を貼着して形成されている。１６は脚パーツであり、茶色の針金の略中央部分を胴部パーツ１５の内、頭部パーツ１１、１２近くの後側に巻装して固定し、両端部を揃えて後方へ延設されている。１７乃至２０は網目構造を有す羽根パーツであり、ここでは植物の葉をプリザーブド処理した紅色のプリザーブド・リーフを素材にして形成されている。羽根パーツ１７と１８は基端部が胴部パーツ１５の内、脚パーツ１６の巻装された上に接着されている。羽根パーツ１７は先端が胴部パーツ１５の左側で斜め前方を向くように配設されており、羽根パーツ１８は先端が胴部パーツ１５の左側で斜め後方を向くように配設されている。また、羽根パーツ１９は先端が胴部パーツ１５の右側で斜め前方を向くように配設されており、羽根パーツ２０は先端が胴部パーツ１５の右側で斜め後方を向くように配設されている。
【００１６】
次に、図１４乃至図１８を参照して各パーツとトンボの装飾体１０の製造方法を説明する。
（１）頭部パーツ（図１４参照）
頭部パーツ１１、１２は、球状で直径７、８ｍｍ程度の発泡スチロールからなる芯体（図示せず）と、図２と同様に、白色で花びらの図柄が横に連続した幅１０ｍｍ、厚さ１．５ｍｍの細幅ケミカルレース４から形成した多数のレース製被覆部材３により、図１の球形の装飾体１と同様に形成する（なお、色は白色に限定されない）。完成後の頭部パーツ１１、１２の直径は１０ｍｍ程度である。
【００１７】
（２）胴部パーツ（図１５乃至図１７参照）
胴部パーツ１５は図１５に示す如く、木製のつま楊子を長さ３５ｍｍ程度に切断した棒状の芯体２１と、図２と同様の紅色で花びらの図柄が横に連続した幅１０ｍｍ、厚さ１．５ｍｍの細幅ケミカルレース４から、厚さ３ｍｍ程度、長さ３５ｍｍ程度のレース製装飾部材３ｇを形成しておく（なお、色は紅色に限定されない）。最初、横向きに置いた芯体２１の上半分を包み込むようにして、一つのレース製装飾部材３ｇを芯体２１の表面２１Ａに接着剤で接着する（図１５（１）、（２）、図１６参照）。続いて、横向きに置いた芯体２１の下半分を包み込むようにして、一つのレース製装飾部材３ｇを芯体２１の表面２１Ａに接着剤で接着する（図１５（３）、（４）参照）。次に、芯体２１の一端部を半球状に囲むようにして小片３ａを接着剤で接着することで、芯体２１の表面２１Ａを複数のレース製装飾部材３で隙間無く被覆する（図１５（５）、図１７参照）。半球状に小片３ａの接着された側が胴部のパーツ１５の前側となる。
【００１８】
（３）脚パーツ、羽根パーツ
脚パーツ１６には直径１ｍｍ程度、長さ１５ｃｍ程度の茶色の針金を用いる（なお、色は茶色に限定されない）。羽根パーツ１７乃至２０は、植物の葉をプリザーブド処理した紅色のプリザーブド・リーフを４枚用意し、各々長さ４０ｍｍ程度、最大幅１０ｍｍ程度の羽根形に切り出して形成する（図１１乃至図１３参照）。
【００１９】
（４）トンボの装飾体の製造（図１８参照）
トンボの装飾体１０の製造は、まず胴パーツ１５の中央より少し前側に、脚パーツ１６の針金の略中央部分を巻装して固定し、脚パーツ１６の両端部を揃えながら胴部パーツ１５の後方へ延設する。次に、羽根パーツ１７乃至２０の基端部を胴部パーツ１５の内、脚パーツ１６の巻装された上に重ねながら接着する。更に、頭部パーツ１１と１２を胴部パーツ１５の前端近くの上側に左右対称かつ互いに接するように接着する。最後に目玉パーツ１３と１４を頭部パーツ１１と１２の外面に左右対称に接着する。
【００２０】
この実施例によれば、トンボの装飾体１０を構成する頭部パーツ１１と１２について、内部の芯体（図示せず）と、芯体の表面を多数のレース製装飾部材３を横にずらして重ねながら接着して隙間無く被覆するようにして形成したことにより、頭部パーツ１１、１２の外面に繊維の柔ら味と、多数の皺や凹凸による生々しさを併せ持った今までにない斬新な外観を表出することかできる
また、トンボの装飾体１０を構成する胴部パーツ１５について、内部の芯体２１と、芯体２１の表面２１Ａを２つのレース製装飾部材３で隙間無く包むように被覆して形成したことにより、胴部パーツ１５の外面に繊維の柔ら味と、多数の皺や凹凸による生々しさを併せ持った今までにない斬新な外観を表出することかできる。
また、羽根パーツ１７乃至２０をプリザーブド処理したプリザーブド・リーフ７０から形成したことにより、本物の羽根に近い網目構造を表出させることができる。
【００２１】
なお、上記した第２実施例では、花びら図形が横に繰り返された細幅のケミカルレース４を用いたが、他の図形模様、例えばハート形やビーズ玉が連なった如きの模様のケミカルレースを用いたり、図形模様が縦横に繰り返された中幅や広幅のケミカルレースを用いたり、更にはケミカルレース以外の種々のレースを用いても良い。また、レース製装飾部材の内の小片３ａは図形一つ単位でカットして作成したが、二つ単位、三つ単位でカットしたり、一つ半単位、二つ半単位でカットするなど、図形１つ分以上の大きさにカットしても良い。
また、多数の小片３ａをそのまま球表面２Ａを隙間無く被覆するように接着剤で装着しても良く、この場合、小片３ａ同士が横にすこしずつずらしながら重なるように装着しても良く、重ならないように装着しても良い。
また、芯体の材質は、発泡スチロールに限定されず、発泡スチロール以外の種々のプラスチック、木材、金属、粘土、ガラスなどから選択されたものであっても良い。また、複数材質を複合した芯体であっても良い。
また、羽根パーツ１７乃至２０は植物の葉をプリザーブド処理したプリザーブド・リーフを用いて形成したが、単に乾燥処理したドライ・リーフ等のドライフラワーを用いて形成しても良い。
また、装飾体としてトンボを象ったフィギュアを例に挙げたが、他の動物や昆虫、植物、食べ物、建物、乗り物、空想物等を象ったフィギュアであっても良いのは勿論である。
また、芯体に装着せずに、レース製装飾部材をそのまま装飾体のパーツ（動物の尾など）として用いても良い。
【産業上の利用可能性】
【００２２】
本考案は、単独での置物や玩具、花束等の添え物に適用可能である。
【符号の説明】
【００２３】
１  球形の装飾体
２、２１芯体
３  レース製装飾部材
３ａ  レース製装飾部材としての小片
３ｂ、３ｃ、・・  レース製装飾部材としての積層装飾部材
１０  トンボの装飾体
１１、１２  頭部パーツ
１３、１４  目玉パーツ
１５  胴部パーツ
１６  脚パーツ
１７乃至２０  羽根パーツ
【図１】
0003202338.tif 000003
【図３】
0003202338.tif 000004
【図５】
0003202338.tif 000005
【図６】
0003202338.tif 000006
【図１１】
0003202338.tif 000007
【図１５】
0003202338.tif 000008
【図１８】
0003202338.tif 000009
【図２】
0003202338.tif 000010
【図４】
0003202338.tif 000011
【図７】
0003202338.tif 000012
【図８】
0003202338.tif 000013
【図９】
0003202338.tif 000014
【図１０】
0003202338.tif 000015
【図１２】
0003202338.tif 000016
【図１３】
0003202338.tif 000017
【図１４】
0003202338.tif 000018
【図１６】
0003202338.tif 000019
【図１７】
0003202338.tif 000020